(57)【特許請求の範囲】
【請求項１】
利用者の属性情報と利用者ＩＤとが関連付けられた顧客情報を格納する顧客情報格納手段を備え、利用者の所持する当該利用者ＩＤを少なくとも記憶しているＩＤ媒体より当該利用者を特定するカラオケシステムであって、
利用者の所持する前記ＩＤ媒体より、少なくとも利用者ＩＤを読み取るＩＤ媒体読取手段と、
所定数の宣伝アイテムが含まれた宣伝効果映像を所定数格納すると共に、当該宣伝アイテムに関するデータを所定数格納する宣伝効果映像格納手段と、
システムの備える各楽曲と前記宣伝効果映像格納手段に格納されている各宣伝効果映像とを関連付けたテーブルを備え、背景映像として表示させるための宣伝効果映像を特定する宣伝効果映像特定手段と、
前記利用者毎に、演奏楽曲に対して前記宣伝効果映像特定手段で特定される宣伝効果映像の履歴を少なくとも前記利用者ＩＤに関連付けて記憶する利用者履歴記憶手段と、
表示される宣伝効果映像に含まれている宣伝アイテムが当該宣伝効果映像と関連付けられたテーブルを備えると共に、当該宣伝アイテムを取り扱う通信ネットワーク上の所定のアクセスサーバへのネットアドレス情報であるアクセス情報が関連付けられたテーブルを備え、前記特定された宣伝効果映像に基づいて宣伝アイテム及び当該アクセス情報とを特定する宣伝アイテム抽出手段と、
前記利用者履歴記憶手段を参照して、利用者毎に、記憶された総ての宣伝効果映像が含んでいる総ての宣伝アイテム及び当該宣伝アイテムを取り扱う前記アクセスサーバへのアクセス情報を前記宣伝アイテム抽出手段より抽出し、当該総ての宣伝アイテムを、当該アクセス情報に関連して一覧表示させるための表示ファイルを作成する表示ファイル作成手段と、
ユーザインタフェース機能を備え、対応のカラオケ装置に対して前記利用者に楽曲を選択させる機能を備えるものであると共に、前記表示ファイル作成手段で作成された前記表示ファイルに基づいてそれぞれの宣伝アイテムを一覧表示し、所望される宣伝アイテムが選択されたときに、当該宣伝アイテムのアクセス情報である前記ネットアドレス情報を、前記対応の利用者の所持するパーソナル携帯端末に発信して提供するアクセス情報提供手段を備える遠隔入出力端末と、
を有することを特徴とするカラオケシステム。
【請求項２】
請求項１に記載のカラオケシステムであって、前記宣伝効果映像格納手段に格納されている宣伝効果映像は、前記楽曲格納手段に格納されているそれぞれの楽曲に対し、各楽曲に関連する映像中に前記宣伝アイテムを組み込ませているプロダクトプレイスメント映像であることを特徴とするカラオケシステム。
【請求項３】
請求項１に記載のカラオケシステムであって、前記宣伝効果映像格納手段に格納されている宣伝効果映像は、前記楽曲格納手段に格納されているそれぞれの楽曲に対し、各楽曲に関連する前記宣伝アイテムそのものの広告映像であることを特徴とするカラオケシステム。
【発明の詳細な説明】
【技術分野】
【０００１】
本発明は、利用者のカラオケによる歌唱の際に背景映像を表示させるカラオケシステムに関する。
【背景技術】
【０００２】
近年、通信カラオケの施設が全国的に広がりを見せ、記録技術の発展や表示装置の発展、また通信技術の発展により利用者に対して種々のサービスを提供することができるようになってきている。このようなカラオケシステムにおいては、歌唱楽曲の背景映像を利用して歌唱行為を喚起し、また、一方で映像提供者側においても背景映像の表示による映像内容についての宣伝効果の向上、宣伝対象に対する購買意欲の喚起が望まれる。
【０００３】
従来、カラオケシステムにおける映像表示で特殊効果を図るものとして、広告映像がある。この広告映像は、単に商品等を表示させるもので、カラオケ利用者の歌唱しているときには、当該歌唱楽曲の背景映像を表示し、楽曲選択前、歌唱楽曲間に時間がある場合や総ての歌唱楽曲が終了した後に、当該広告映像を表示させるものが一般的である。そこで、楽曲歌唱の際にも広告映像を表示させるものが、以下の特許文献で提案されている。
【０００４】
【特許文献１】特開２００３−１４３５８４号公報
【特許文献２】特表２００３−５２２４８２号公報
【０００５】
上記特許文献１には、近辺に無線通知する映像再生装置に関して、カラオケ演奏の合間に広告映像を表示させ、当該広告映像データに附帯してインターネット上のサイトのＵＲＬが記述されている場合に、当該ＵＲＬをパーソナル携帯情報端末にハイパーリンク形式で伝達するための電文を近距離無線通信手段により発信するということが提案されている。
【０００６】
また、上記特許文献２には、リモートコントロールユニット上への拡張されたコンテンツ情報の表示方法及びシステムに関して、ビデオ受信機の他にリモートコントロールユニットにディスプレイを備え、リモートコントロールユニットのディスプレイ上に広告等の情報を表示させることが提案されている。
【発明の開示】
【発明が解決しようとする課題】
【０００７】
しかしながら、上記特許文献１に提案されている映像再生装置では、広告映像をカラオケ演奏の合間に表示させていることから、表示させる広告映像数が少なく、場合によってはカラオケ演奏の予約が常になされていると広告映像が表示されない状態が生じ、総ての予約楽曲の演奏が終了した後にしか表示されないという問題がある。
【０００８】
また、上記特許文献２に提案されているように歌唱用の映像表示とは別の、当該カラオケシステムとは無関係のモニタやディスプレイを用意する必要があって、高価となるという問題があると共に、単に広告映像を表示させるだけであることから関心を示した利用者は新たに広告対象の商品等の詳細を知ろうとする場合には当該商品等を記録しておき、改めて当該商品等を取り扱うサイト等にアクセスしなければならず、購買意欲を減退させることになるという問題がある。
【０００９】
そこで、本発明は上記課題に鑑みなされたもので、歌唱者による歌唱中であっても宣伝効果映像の内容を同伴者等の利用者に視聴させて宣伝効果を向上させると共に、宣伝対象に対する購買意欲を喚起させるカラオケシステムを提供することを目的とする。
【課題を解決するための手段】
【００１０】
上記課題を解決するために、請求項１の発明では、利用者の属性情報と利用者ＩＤとが関連付けられた顧客情報を格納する顧客情報格納手段を備え、利用者の所持する当該利用者ＩＤを少なくとも記憶しているＩＤ媒体より当該利用者を特定するカラオケシステムであって、利用者の所持する前記ＩＤ媒体より、少なくとも利用者ＩＤを読み取るＩＤ媒体読取手段と、所定数の宣伝アイテムが含まれた宣伝効果映像を所定数格納すると共に、当該宣伝アイテムに関するデータを所定数格納する宣伝効果映像格納手段と、システムの備える各楽曲と前記宣伝効果映像格納手段に格納されている各宣伝効果映像とを関連付けたテーブルを備え、背景映像として表示させるための宣伝効果映像を特定する宣伝効果映像特定手段と、前記利用者毎に、演奏楽曲に対して前記宣伝効果映像特定手段で特定される宣伝効果映像の履歴を少なくとも前記利用者ＩＤに関連付けて記憶する利用者履歴記憶手段と、表示される宣伝効果映像に含まれている宣伝アイテムが当該宣伝効果映像と関連付けられたテーブルを備えると共に、当該宣伝アイテムを取り扱う通信ネットワーク上の所定のアクセスサーバへのネットアドレス情報であるアクセス情報が関連付けられたテーブルを備え、前記特定された宣伝効果映像に基づいて宣伝アイテム及び当該アクセス情報とを特定する宣伝アイテム抽出手段と、前記利用者履歴記憶手段を参照して、利用者毎に、記憶された総ての宣伝効果映像が含んでいる総ての宣伝アイテム及び当該宣伝アイテムを取り扱う前記アクセスサーバへのアクセス情報を前記宣伝アイテム抽出手段より抽出し、当該総ての宣伝アイテムを、当該アクセス情報に関連して一覧表示させるための表示ファイルを作成する表示ファイル作成手段と、ユーザインタフェース機能を備え、対応のカラオケ装置に対して前記利用者に楽曲を選択させる機能を備えるものであると共に、前記表示ファイル作成手段で作成された前記表示ファイルに基づいてそれぞれの宣伝アイテムを一覧表示し、所望される宣伝アイテムが選択されたときに、当該宣伝アイテムのアクセス情報である前記ネットアドレス情報を、前記対応の利用者の所持するパーソナル携帯端末に発信して提供するアクセス情報提供手段を備える遠隔入出力端末と、を有する構成とする。
【００１１】
請求項２，３の発明では、「前記宣伝効果映像格納手段に格納されている宣伝効果映像は、前記楽曲格納手段に格納されているそれぞれの楽曲に対し、各楽曲に関連する映像中に前記宣伝アイテムを組み込ませているプロダクトプレイスメント映像である」構成であり、
「前記宣伝効果映像格納手段に格納されている宣伝効果映像は、前記楽曲格納手段に格納されているそれぞれの楽曲に対し、各楽曲に関連する前記宣伝アイテムそのものの広告映像である」構成である。
【発明の効果】
【００１２】
本発明によれば、演奏楽曲と関連付けられている宣伝効果映像を歌唱中の歌詞文字データが表示されている表示手段に背景映像として表示させものであり、利用者毎に演奏楽曲に対応する総ての宣伝効果映像を履歴として記憶しておき、利用者毎に、記憶された総ての宣伝効果映像が含んでいる総ての宣伝アイテムについて対応のアクセスサーバへのネットアドレス情報であるアクセス情報を関連付けて一覧表示させる表示ファイルを作成して遠隔入出力端末で表示させ、所望される宣伝アイテムが選択されたときに、当該宣伝アイテムについてアクセス情報提供手段が対応の利用者の所持するパーソナル携帯端末に対してアクセス情報であるネットアドレス情報を発信によって提供する構成とすることにより、歌唱者による歌唱中であっても宣伝効果映像の内容を同伴者等の利用者に視聴させることができ、単に宣伝効果映像を視聴させるだけでなく、利用者毎の総ての宣伝アイテムについて該当のアクセスサーバにアクセス自在とさせることで宣伝効果を向上させることができると共に、宣伝対象に対する購買意欲を喚起させることができるものである。
【発明を実施するための最良の形態】
【００１３】
以下、本発明の最良の実施形態を図により説明する。本実施形態では、宣伝効果映像としてプロダクトプレイスメント映像について説明するが、楽曲格納手段に格納されているそれぞれの楽曲に関連する宣伝アイテムそのものの広告映像であっても同様に適用することができるものである。
【００１４】
図１に、本発明に係るカラオケシステムのネットワーク接続状況の模式図及び遠隔入出力端末のブロック構成図を示す。図１（Ａ）は本発明に係るカラオケシステムのネットワーク接続状況の模式図、図１（Ｂ）は遠隔入出力端末の内部構成の一例のブロック図である。
【００１５】
図１（Ａ）において、カラオケホスト装置１１は、所定数のカラオケ演奏端末１３（１３Ａ〜１３Ｎ）を管理し、当該各端末１３に楽曲データを配信するものであり、利用者に関する所定の情報を格納する顧客データベース（顧客ＤＢ）１１Ａを備える。上記顧客ＤＢ１１Ａは、各カラオケ演奏端末１３（１３Ａ〜１３Ｎ）の各利用者が、例えば会員として予め属性情報を格納しておくもので、その属性情報としては、例えば、利用者ＩＤ、氏名、セカンドネーム、郵便番号、住所、電話、年齢、性別が含まれ、適宜、登録者の顔写真等のイメージファイル名が関連づけられたものである。当該各イメージファイルは、図示しないが、当該顧客ＤＢ１１Ａに設けられたフォルダに格納される。
【００１６】
上記各カラオケ演奏端末１３（１３Ａ〜１３Ｎ）では、図２で詳述するが、利用者が所定の楽曲を選択した場合、所定数の楽曲データが格納されている楽曲格納手段より当該選択された楽曲を抽出し、当該楽曲データに含まれる演奏データを出力すると共に、歌詞文字データを表示手段に表示させる。また、当該各カラオケ演奏端末１３は、図１（Ｂ）に示すように、遠隔入出力端末１４（１４Ａ〜１４Ｎ）を備える。
【００１７】
また、カラオケ演奏端末１３を利用する利用者の所持するパーソナル携帯端末１５（１５Ａ〜１５Ｎ）がネット接続中継サーバ１６（１６Ａ〜１６Ｎ）を介して通信ネットワーク１２に接続自在であり、ここでは、アクセス情報としてのネットアドレス情報（ＵＲＬ）をコード化した画像コード情報（後述の二次元バーコード）を光学的に読み取り、ネットアドレス情報としてのＵＲＬに変換する機能を備える。
【００１８】
そして、上記パーソナル携帯端末１５は、通信ネットワーク１２を介して所定のアクセスサーバであるサプライサーバ１７（１７Ａ〜１７Ｎ）とデータ授受自在とされている。上記通信ネットワーク１２としては一般公衆電話回線やこれを用いたＡＤＳＬや光通信回線あるいはインターネット、さらには、ＬＡＮなどがある。上記アクセスサーバとしては、商品等の販売や提供を行うサプライサーバ１７の他に、商品等の詳細説明することを専らとするいわゆるコマーシャルサーバもある。
【００１９】
上記遠隔入出力端末１４は、ユーザインタフェース機能を備え、対応のカラオケ装置に対して前記利用者に楽曲を選択させる機能を備えるものであると共に、後述の表示ファイル作成手段で作成された表示ファイルに基づいて宣伝アイテムを一覧表示し、表示されたそれぞれの宣伝アイテムを取り扱う対応のアクセスサーバであるサプライサーバ１７にアクセスするためのアクセス情報を所定の利用者の所持するパーソナル携帯端末１５に対して提供する機能を備えるものとして、図１（Ｂ）に示すように、制御手段２１、ユーザインタフェース機能としてのＧＵＩ制御手段２２、楽曲検索手段２３、送受信手段２４、アクセス情報提供手段２５及び表示手段２６を備える。
【００２０】
上記制御手段２１は、当該遠隔入出力端末１４を統括的に制御するもので、例えば物理的なＣＰＵに制御のためのプログラムが格納され、当該プログラムが図示しないＲＡＭ等に展開されて実行される。上記ＧＵＩ制御手段２２は、例えば表示手段である液晶ディスプレイ（ＬＣＤ）２６とタッチセンサとを積層した入出力用を可能とし、表示されるアイコン等に対応して当該タッチセンサにより楽曲の選択などのデータを入力することができるＧＵＩである。
【００２１】
上記楽曲検索手段２３は、例えば新曲、歌手名、曲名、ジャンルおよび履歴のそれぞれについての各楽曲情報を備え、当該楽曲名と楽曲コードとが関連付けられたテーブルを備え、利用者によって検索、選択された楽曲コードを、後述のカラオケ装置の予約管理手段に送信して予約させるものである。上記送受信手段２４は、後述のカラオケ装置とデータ授受を行うための通信方式と整合性をとるための例えば物理的な通信用回路やプラットフォーム等のソフトウエアにより構成される。
【００２２】
本発明のカラオケシステムは、上記遠隔入出力端末１４を備えるカラオケ演奏端末１３で構成され、又は、これらに顧客ＤＢ１１Ａが加えられて構成されるものである。
【００２３】
そこで、図２に、図１のカラオケ演奏端末のブロック構成図を示す。図２に示すカラオケ演奏端末１３は、主要装置としてのカラオケ装置３０を有するもので、バス３１、制御手段３２、ＲＡＭ３３、予約管理手段３４、音楽曲出力手段３５、再生制御手段３６、楽曲ＤＢ（楽曲データベース）３７、表示ファイル作成手段３８、媒体読取手段３９及び送受信手段４０，４１を適宜備え、利用者履歴記憶手段４２、宣伝効果映像特定手段４３、宣伝アイテム抽出手段４４及び宣伝効果映像格納手段５１ａを含む背景映像ＤＢ（背景映像データベース）５１を備える。
【００２４】
また、当該カラオケ装置３０に有線及び無線で外部接続されるものとして、表示手段４５、ミキシングアンプ４６、マイク４７、スピーカ４８及び上記遠隔入出力端末１４を備える。そして、上記媒体読取手段３９に対応したＩＤ媒体４９が利用者（顧客）において所持される。なお、上記各構成について、本発明の要旨と直接関連しない要素部分であっても、従前のカラオケ装置においても大部分が適用可能であることを示すために、装置全体を説明する。
【００２５】
制御手段３２は、このシステムを統括的に制御するもので、例えば物理的なＣＰＵに制御のためのプログラムが格納され、当該プログラムはＲＡＭ３３等に展開されて実行される。当該ＲＡＭ３３は、種々のプログラムを展開、実行させるための作業領域としての役割をするものであり、例えば半導体メモリで構成され、仮想的にハードディスク上に構築される場合をも含む概念である。
【００２６】
ここで、相前後するが、楽曲ＤＢ３７は、例えばハードディスク（ＨＤＤ）等の記憶装置であり、少なくとも、演奏データ（ファイル）及びテロップデータ（ファイル）で構成される楽曲データ（ファイル）について楽曲コードをファイル名としてそれぞれ備える。演奏データ（ファイル）はそれぞれの楽曲の演奏をデジタル的なデータであり、テロップデータ（ファイル）は演奏データに対応した楽曲の歌詞文字データである。
【００２７】
上記予約管理手段３４は、利用者が選択した楽曲名と対応する楽曲コードを記憶しておき、順番に歌唱対象とするもので、そのためのメモリ領域を備え、当該メモリ領域に記憶されるデータは上記制御手段３２により制御される。すなわち、選択された楽曲コードにより上記楽曲ＤＢ３７より曲名やインデックス等を読み出して記憶させておくもので、予約状況を表示させるときには曲名をも含められる。また、当該予約管理手段３４は、ここでは後述の映像抽出処理手段４４で特定された宣伝効果映像（ファイル名）が当該楽曲コードに関連付けられて記憶される。
【００２８】
上記音楽曲出力手段３５は、楽曲コードで楽曲ＤＢ３７より抽出された演奏データをデジタル再生し、アナログ変換してミキシングアンプ４６に出力するもので、そのためのプログラムがＲＡＭ３３に展開されて実行される。当該ミキシングアンプ４６は、マイク４７より入力した歌唱者の歌唱音声と、当該音楽曲出力手段３５より送られてくる演奏データをミキシングし、増幅してスピーカ４８より出力させるものである。
【００２９】
上記再生制御手段３６は、選択されて楽曲ＤＢ３７より抽出された楽曲データのうちのテロップデータ（歌詞文字データ）を当該楽曲の演奏データに同期させて表示手段４５に出力すると共に、特定された宣伝効果映像データを同期させて表示手段４５に出力するもので、そのためのプログラムがＲＡＭ３３に展開されて実行される。当該表示手段４５としては例えば、ブラウン管（ＣＲＴ）ディスプレイ、液晶ディスプレイ（ＬＣＤ）、プラズマディスプレイ（ＰＤＰ）等があり、特にハイビジョン化されたディスプレイが宣伝効果映像を表示するものとして好ましい。
【００３０】
上記表示ファイル作成手段３８は、送受信手段４０を介して当該カラオケ装置３０に付帯する遠隔入出力端末１４に表示させるための表示ファイルを作成すると共に、利用者に上記楽曲検索手段２３で楽曲を選曲させ、また、後述の利用者履歴記憶手段４２を参照して、利用者毎に、記憶された総ての宣伝効果映像が含んでいる総ての宣伝アイテム及び当該宣伝アイテムを取り扱うサプライサーバ１７へのアクセス情報を後述の宣伝アイテム抽出手段４４より抽出し、当該総ての宣伝アイテムについて対応のアクセス情報に関連させて一覧表示させる表示ファイルを作成して当該遠隔入出力端末１４に転送するもので、そのためのプログラムがＲＡＭ３３に展開されて実行される。当該送受信手段４０は、遠隔入出力端末１４との間で有線方式ないし無線方式（ＩＲ方式やブルートゥース機構のピコネット接続方式など）を利用してデータ授受を行うためのもので、そのための回路基板およびプログラムを備える。
【００３１】
上記媒体読取手段３９は、利用者が所持するＩＤ媒体４９から利用者ＩＤを読み取り、当該利用者ＩＤに基づいて顧客ＤＢ１１Ａより対応の氏名を取得して後述の利用者履歴記憶手段４２に記憶させる。当該ＩＤ媒体４９は、少なくとも利用者ＩＤを記憶し、上記媒体読取手段３９と例えば非接触でデータ授受が自在のものである。ＩＤ媒体４９としては、例えば、非接触型のＩＣカードや、携帯電話や小型モバイルコンピュータに内蔵させたＩＣカード機能回路等がある。上記送受信手段４１は、主に、当該カラオケ装置３０と上記通信ネットワーク１２を介してデータ授受を行うためのもので、通信方式と整合性をとるための例えば物理的な通信用回路やプラットフォーム等のソフトウエアにより構成されるものである。
【００３２】
上記利用者履歴記憶手段４２は、利用者毎に、演奏楽曲に対して歌唱した際に後述の宣伝効果映像特定手段４３で特定されて背景映像とされた宣伝効果映像の履歴を利用者ＩＤ及び氏名に関連付けて記憶する記憶手段（図４で説明する）である。宣伝効果映像特定手段４３は、楽曲格納ＤＢ３７に格納されている各楽曲と後述する宣伝効果映像格納手段５１ａに格納されている各宣伝効果映像とを関連付けた映像対応テーブル５２（図３で説明する）とを備え、歌唱中の歌詞文字データが表示されている表示手段４５に背景映像として表示させるための宣伝効果映像を特定するためのもので、そのための記憶手段及びプログラムを備える。
【００３３】
上記宣伝効果映像格納手段５１ａは、楽曲の演奏時に歌詞文字の背景として使用されるＭＰＥＧ形式の背景映像データが多数蓄積された背景映像ＤＢ５１内に、一般の背景映像と共に備えられ、一般の背景映像と区別するため、フラグやインデックスなどが付されて管理されており、所定数の宣伝アイテムが含まれた宣伝効果映像を、上記楽曲ＤＢ３７に格納されている各楽曲（データファイル）に関連付けされて複数格納するもので、当該宣伝効果映像は、当該各楽曲に関連する映像中に宣伝アイテムを組み込ませているプロダクトプレイスメント映像である。また、ここではこれら宣伝効果映像に組み込まれているそれぞれの宣伝アイテムのイメージ画像、及び後述の二次元バーコード画像をも格納される。このプロダクトプレイスメント映像は、従来から、映画やテレビジョン或いはゲームの映像内に、その映像の進行と調和するように、自然の流れの中で企業の商品やサービスを組み込む手法として採用されてきたものであって、利用者にとって違和感なく商品や役務（サービス）を視認して受け入れることができるため、効果的な手法となっているものである。
【００３４】
上記宣伝アイテム抽出手段４４は、少なくとも宣伝アイテム映像対応テーブル５３及び宣伝アイテムサイト対応テーブル５４を備えるもので、演奏された楽曲に基づいて宣伝アイテム及びこれを取り扱うサプライサーバ１７のアドレス（ＵＲＬ）に対応したネットアドレス情報をコード化した画像コード情報である二次元バーコード画像を特定するもので、そのための記憶手段及びプログラムを備える。ここで、宣伝アイテム映像対応テーブル５３は表示される宣伝効果映像に含まれている宣伝アイテムが当該宣伝効果映像と関連付けられた記憶手段（図５（Ａ）で説明する）であり、宣伝アイテムサイト対応テーブル５４は宣伝アイテムを取り扱う上記サプライサーバ１７のアドレス（ＵＲＬ）、当該アドレスの二次元バーコード画像とが関連付けられた記憶手段（図５（Ｂ）で説明する）である。
【００３５】
なお、図示しないが、当該カラオケ装置３０には演奏楽曲、歌唱音声に対する種々の調節を行うボタンやツマミ類が可変抵抗器等の電子素子に直結された操作パネルも接続され、当該操作パネルはエコーや左右バランス、スピーカ４８からの出力音量のボリウム等を備える。ところで、上記顧客ＤＢ２４を、カラオケ装置３０に備えさせ、又は当該カラオケ装置３０に接続させてもよい。また、逆に、上記楽曲ＤＢ３７、宣伝効果映像格納手段５１ａの何れか、又は両方を、適宜カラオケホスト装置１１に備えさせ、若しくは当該カラオケホスト装置１１に接続させる構成としてもよいものである。
【００３６】
また、図３に図２の宣伝効果映像特定手段の備える映像対応テーブルの説明図を示すと共に、図４に図２の利用者履歴記憶手段の説明図を示し、図５に図２の宣伝アイテム抽出手段の備える宣伝アイテム映像対応テーブル及び宣伝アイテムサイト対応テーブルの説明図を示す。図３は宣伝効果映像特定手段４３の備える映像対応テーブル５２であり、楽曲データを特定する楽曲コードと、宣伝効果映像格納手段５１ａに格納されている宣伝効果映像データ（ファイル名）とが関連付けられたものであり、利用者が選択した楽曲の楽曲コードに基づいて映像表示する宣伝効果映像を特定させるためのものである。
【００３７】
図４は、利用者履歴記憶手段４２で記憶される内容の一例を示したもので、利用者毎に、当該利用者が選択して演奏された楽曲に対応した宣伝効果映像ファイルが当該利用者ＩＤ及び氏名と関連付けられて記憶されていくもので、当該利用者がカラオケ装置３０に対してログオフするまで記憶を維持する。
【００３８】
図５（Ａ）は、宣伝アイテム抽出手段４４に備えられる宣伝アイテム映像対応テーブル５３の一例であり、宣伝効果映像のデータファイルと、当該宣伝効果映像に組み込まれた所定数の宣伝アイテムとが関連付けられたものである。また、図５（Ｂ）は、宣伝効果映像に組み込まれた各宣伝アイテムと、当該各宣伝アイテムのイメージ画像のファイル名と、当該各宣伝アイテムを取り扱うサプライ側が通信ネットワーク１２上に設けている各サプライサーバ１７のサイトアドレス（ＵＲＬ）と、当該ＵＲＬがコード化されたコード画像（二次元バーコード画像）のファイル名とが関連付けられたものである。
【００３９】
そこで、図６に、図２のカラオケ演奏端末における宣伝効果映像再生に関する処理フローチャートを示す。図６（Ａ）はカラオケ演奏端末における利用者ＩＤ読み取りの処理フローチャートであり、図６（Ｂ）は宣伝効果映像再生の処理フローチャートである。図６（Ａ）において、まず、利用者ＩＤの読み取りは、従前のように歌唱ログ等の取得の他に、歌唱時に背景映像とした宣伝効果映像を関連付けさせることを前提としたものであり、利用者がカラオケ装置３０の媒体読取手段３９に利用者所有のＩＤ媒体４９を提示したときに（ステップ（Ｓ）１）、当該媒体読取手段３９が利用者ＩＤを読み取り、当該利用者ＩＤに基づいて顧客ＤＢ１１Ａより対応の氏名を取得し、これらを利用者履歴記憶手段４２に一旦記憶する（Ｓ２）。
【００４０】
一方、図６（Ｂ）において、例えば遠隔入出力端末１４（楽曲検索手段２３）により当該利用者による利用者ＩＤとの関連で楽曲の選択要求があり（Ｓ１１）、楽曲の選択が終了すると（Ｓ１２）、予約管理手段３４が当該選択された楽曲コードを利用者ＩＤに関連付けて順番に記憶する（Ｓ１３）。
【００４１】
そこで、予約の順番から選択された楽曲の再生を行う場合（Ｓ１４）、予約管理手段３４に記憶されている楽曲コードに基づいて、該当の楽曲データが楽曲ＤＢ３７より抽出され、演奏データが音楽曲出力手段３５に送出されると共に、歌詞文字データが表示手段３６に送出され、また、当該楽曲コードに関連付けられた宣伝効果映像ファイルが宣伝効果映像格納手段５１ａより抽出されて再生制御手段３６に送出される（Ｓ１５）。
【００４２】
選択された楽曲データがミキシングアンプ４５を介してスピーカ４７より再生出力されると共に、これに同期させて該当の宣伝効果映像データが上記歌詞文字データと合成された状態で背景映像として表示手段４５より再生される（Ｓ１６）。そして、演奏された楽曲コードに基づいて、宣伝効果映像特定手段４３の映像対応テーブル５２を参照して対応の宣伝効果映像ファイル名を特定し、これを該当の利用者ＩＤに関連付けて利用者履歴記憶手段４２に記憶する（Ｓ１７）。
【００４３】
続いて、図７に図２のカラオケ演奏端末における遠隔入出力端末によるアクセス情報提供のための処理フローチャートを示すと共に、図７に図２のカラオケ演奏端末における遠隔入出力端末によるアクセス情報提供の説明図を示す。ここでは、宣伝アイテムの一覧表示をさせるタイミングを随時利用者からの要求した時点として説明するが、他に、総ての歌唱を終了してログオフする前の利用者からの要求時点や、予約楽曲の総てが終了した時点としてもよい。
【００４４】
図７において、例えば利用者から遠隔入出力端末１４を介して宣伝アイテム表示要求があった場合（Ｓ２１）、表示ファイル作成手段３８が利用者履歴記憶手段４２に記憶されている総ての利用者のうち、何れかの利用者の氏名（利用者ＩＤ）を選択させる表示ファイルを遠隔入出力端末１４に送出し、図８（Ａ）に示すように、当該遠隔入出力端末１４が利用者選択の表示を行う（Ｓ２２）。何れかの利用者が選択された場合（Ｓ２３）、表示ファイル作成手段３８が選択された利用者氏名（利用者ＩＤ）に基づいて利用者履歴記憶手段４２より、当該利用者が歌唱した時に放映された総ての宣伝効果映像ファイル名を取得して宣伝アイテム抽出手段４４に送出する（Ｓ２４）。
【００４５】
宣伝アイテム抽出手段４４では、宣伝効果映像ファイル名に基づき、宣伝アイテム映像対応テーブル５３を参照して対応の総ての宣伝アイテムを特定し、当該各宣伝アイテムに基づいて宣伝アイテムサイト対応テーブル５４を参照してそれぞれの宣伝アイテムの画像ファイルと関連のサイトＵＲＬに対応したアクセス情報の二次元バーコード画像のファイル名を表示ファイル作成手段に送出する（Ｓ２５）。
【００４６】
当該表示ファイル作成手段３８では、それぞれの宣伝アイテムの画像及び二次元バーコード画像を宣伝効果映像格納手段５１ａより抽出し、対応の二次元バーコード画像が組み込まれたそれぞれの宣伝アイテム画像とした表示ファイルを作成して遠隔入出力端末に送出する（Ｓ２６）。当該遠隔入出力端末１４では、送られてきた表示ファイルを、図８（Ｂ）、（Ｃ）に示すように、それぞれの二次元バーコード画像５５が組み込まれた宣伝アイテム画像をサムネイル形態で一覧表示する（Ｓ２７）。
【００４７】
そこで、利用者が、遠隔入出力端末１４において、それぞれサムネイル形態で一覧表示させた各宣伝アイテム画像のうち、一の宣伝アイテム画像に対応したサプライサーバ１７にアクセスしようとする場合、当該利用者の所持するパーソナル携帯端末１５で選択した宣伝アイテムに対応した二次元バーコード画像５５を光学的に読み取り、当該二次元バーコード画像５５がＵＲＬに変換されることによって、当該パーソナル携帯端末１５から図１（Ａ）のネット接続中継サーバ１６、通信ネットワーク１２を介して対応ＵＲＬのサプライサーバ１７にアクセスできるものである。
【００４８】
このように、歌唱者による歌唱中であっても宣伝効果映像の内容を同伴者等の利用者に視聴させることができ、単に宣伝効果映像を視聴させるだけでなく、当該所定の宣伝アイテムを遠隔入出力端末１４に一覧表示させ、利用者の所持するパーソナル携帯端末１５から所望の宣伝アイテムについて該当のサプライサーバ１７にアクセス自在とさせることで宣伝効果を向上させることができると共に、宣伝対象に対する購買意欲を喚起させることができるものである。
【００４９】
次に、図９に、図１のカラオケ演奏端末におけるアクセス情報提供に関する他の構成のブロック構成図及び遠隔入出力端末によるアクセス情報発信の処理フローチャートを示す。図９（Ａ）は利用者履歴記憶手段４２及び宣伝効果映像特定手段４３の他に付加される構成のブロック構成図であり、図９（Ｂ）は遠隔入出力端末によるアクセス情報発信の処理フローチャートである。なお、図１のカラオケホスト装置１１の備える顧客ＤＢ１１Ａには、上述の属性情報の他に、ここでは上記のようにカラオケ演奏端末１３を使用する際の利用者が所持するパーソナル携帯端末１５の通信ＩＤをも関連付けられているものである。例えば、当該通信ＩＤを利用者ＩＤと同じ、又は所持されているパーソナル携帯端末１５特有の通信ＩＤをそのまま使用することとしてもよい。
【００５０】
図９（Ａ）において、上記構成の他に、通信ＩＤ取得手段６１を備える。上記通信ＩＤ取得手段６１は、上記カラオケホスト装置１１の備える顧客ＤＢ１１Ａに格納されている利用者情報のうち、当該利用者ＩＤに関連付けられてカラオケ演奏端末１３を使用する際の当該利用者の所持するパーソナル携帯端末１５の通信ＩＤを当該カラオケホスト装置１１に要求して取得するもので、そのためのプログラム及び記憶手段を備える。
【００５１】
そこで、図９（Ｂ）のアクセス情報提供のための前処理において、利用者による楽曲選択、宣伝効果映像の表示及び利用者履歴記憶手段４２への履歴記憶等の処理は、上述の図６の全部及び図７におけるＳ２１〜Ｓ２４の処理と同様である。すなわち、図９（Ｂ）は、表示ファイル作成手段３８が選択された利用者氏名（利用者ＩＤ）に基づいて利用者履歴記憶手段４２より、当該利用者が歌唱した時に放映された総ての宣伝効果映像ファイル名を取得して宣伝アイテム抽出手段４４に送出した後の処理について示している。また、ここでは、上記通信ＩＤ取得手段６１がＩＤ媒体より読み取った利用者ＩＤに基づいて、上記顧客ＤＢ１１Ａより通信ＩＤを取得して利用者履歴記憶手段４２に記憶していることを前提としている。
【００５２】
図９（Ｂ）において、宣伝アイテム抽出手段４４では、宣伝効果映像ファイル名に基づき、宣伝アイテム映像対応テーブル５３を参照して対応の総ての宣伝アイテムを特定し、当該各宣伝アイテムに基づいて宣伝アイテムサイト対応テーブル５４を参照してそれぞれの宣伝アイテムの画像ファイルと関連するアクセス情報のサイトＵＲＬとを関連付けた表示ファイル作成手段３８に送出する（Ｓ３１）。表示ファイル作成手段３８では、それぞれの宣伝アイテムの画像を宣伝効果映像格納手段５１ａより抽出し、当該画像と当該宣伝アイテムのサイトのＵＲＬに基づいて表示ファイルを作成して遠隔入出力端末１４に送出する（Ｓ３２）。
【００５３】
遠隔入出力端末１４では、送られてきた表示ファイルを、それぞれの宣伝アイテム画像をサムネイル形態で一覧表示する（Ｓ３３）。そして、それぞれサムネイル形態で一覧表示させた各宣伝アイテムのうち、一の宣伝アイテムが指定・選択されたときに、アクセス情報提供手段２５が関連付けられたＵＲＬの情報を、当該利用者ＩＤで特定される通信ＩＤのパーソナル携帯端末１５に発信するものである（Ｓ３４）。なお、パーソナル携帯端末１５では、アクセス情報提供手段２５より送信されてきたＵＲＬを使用して、図１に示すようにネット接続中継サーバ１６、通信ネットワーク１２を介して該当のＵＲＬサイトのサプライサーバ１７にアクセスすることが可能となるものである。
【００５４】
このように、歌唱者による歌唱中であっても宣伝効果映像の内容を同伴者等の利用者に視聴させることができ、単に宣伝効果映像を視聴させるだけでなく、当該所定の宣伝アイテムを遠隔入出力端末１４に一覧表示させ、所望の宣伝アイテムについて該当のサプライサーバ１７のＵＲＬ（アクセス情報）を当該利用者のパーソナル携帯端末１５に提供してアクセス自在とさせることで宣伝効果を向上させることができると共に、宣伝対象に対する購買意欲を喚起させることができるものである。
【産業上の利用可能性】
【００５５】
本発明のカラオケシステムは、利用者のカラオケによる歌唱の際に選択された宣伝効果映像を表示出力する場合に適する。
【図面の簡単な説明】
【００５６】
【図１】本発明に係るカラオケシステムのネットワーク接続状況の模式図及び遠隔入出力端末のブロック構成図である。
【図２】図１のカラオケ演奏端末のブロック構成図である。
【図３】図２の宣伝効果映像特定手段の備える映像対応テーブルの説明図である。
【図４】図２の利用者履歴記憶手段の説明図である。
【図５】図２の宣伝アイテム抽出手段の備える宣伝アイテム映像対応テーブル及び宣伝アイテムサイト対応テーブルの説明図である。
【図６】図２のカラオケ演奏端末における宣伝効果映像再生に関する処理フローチャートである。
【図７】図２のカラオケ演奏端末における遠隔入出力端末によるアクセス情報提供のための処理フローチャートである。
【図８】図２のカラオケ演奏端末における遠隔入出力端末によるアクセス情報提供の説明図である。
【図９】図１のカラオケ演奏端末におけるアクセス情報提供に関する他の構成のブロック構成図及び遠隔入出力端末によるアクセス情報発信の処理フローチャートである。
【符号の説明】
【００５７】
１１            カラオケホスト装置
１２            通信ネットワーク
１３            カラオケ演奏端末
１４            遠隔入出力端末
１５            パーソナル携帯端末
１６            ネット接続中継サーバ
１７            サプライサーバ
２５            アクセス情報提供手段
３０            カラオケ装置
３７            楽曲ＤＢ
３８            表示ファイル作成手段
４２            利用者履歴記憶手段
４３            宣伝効果映像特定手段
４４            宣伝アイテム抽出手段
５１            背景映像ＤＢ
５１ａ          宣伝効果映像格納手段
５２            映像対応テーブル
５３            宣伝アイテム映像対応テーブル
５４            宣伝アイテムサイト対応テーブル
５５            二次元バーコード
６１            通信ＩＤ取得手段
【図１】
0004471946.tif 000002
【図２】
0004471946.tif 000003
【図３】
0004471946.tif 000004
【図４】
0004471946.tif 000005
【図５】
0004471946.tif 000006
【図６】
0004471946.tif 000007
【図７】
0004471946.tif 000008
【図８】
0004471946.tif 000009
【図９】
0004471946.tif 000010